(57)【要約】【課題】特定の波長を有する光を入射側と反対方向に透過させ、明確な透過光として視認でき、かつ透明性の高い光学素子を提供する。【解決手段】光学素子１０は、複数の単位干渉構造１１を含むとともに、入射光１５に対する波長選択性を有する干渉膜１３を備えている。各単位干渉構造１１に設けられた界面１２の法線１４方向は、光学素子１０の法線１７方向に対して４５°乃至９０°の範囲内となっている。これにより、光学素子１０は、裏面１０ｂからの入射光１５を各単位干渉構造１１で反射して表面１０ｃに透過させることができる。【選択図】図１
2007256479.tif 000002
【特許請求の範囲】
【請求項１】
複数の単位干渉構造を含むとともに、入射光に対する波長選択性を有する干渉膜を備えた光学素子において、
各単位干渉構造の界面の法線方向が、光学素子の法線方向に対して４５°乃至９０°の範囲内となり、光学素子裏面からの入射光を各単位干渉構造で反射して光学素子表面に透過させることを特徴とする光学素子。
【請求項２】
各々が複数の単位干渉構造を含むとともに、入射光に対する波長選択性を有する複数の干渉膜を備えた光学素子において、
各干渉膜に設けられた各単位干渉構造の界面の法線方向が、光学素子の法線方向に対して４５°乃至９０°の範囲内となり、光学素子裏面からの入射光を各単位干渉構造で反射して光学素子表面に透過させることを特徴とする光学素子。
【請求項３】
各単位干渉構造の光学的距離の１ピッチの長さが、３００ｎｍ乃至８６０００ｎｍの範囲内となることを特徴とする請求項１または２に記載の光学素子。
【請求項４】
各単位干渉構造の界面の法線方向が、光学素子の法線方向に対して４５°乃至９０°の範囲内においてばらつきを持つことを特徴とする請求項１乃至３のいずれかに記載の光学素子。
【請求項５】
各単位干渉構造の界面間の距離が一定となることを特徴とする請求項１乃至４のいずれかに記載の光学素子。
【請求項６】
各単位干渉構造の界面間の距離が連続的に変化することを特徴とする請求項１乃至４のいずれかに記載の光学素子。
【請求項７】
干渉膜が偏光分離特性を有することを特徴とする請求項１乃至６のいずれかに記載の光学素子。
【請求項８】
干渉膜がコレステリック液晶からなることを特徴とする請求項１乃至７のいずれかに記載の光学素子。
【請求項９】
請求項１乃至８のいずれかに記載の光学素子からなる投影スクリーン。
【請求項１０】
請求項７に記載の光学素子からなる投影スクリーンと、
投影スクリーンの外方に設けられ、投影スクリーンに光を入射する投影装置と、を備え、
投影装置から投影スクリーンに入射する光は、投影スクリーンの光学素子に設けられた干渉膜が選択的に反射する偏光成分からなることを特徴とする投影システム。
【請求項１１】
請求項９に記載の投影スクリーンと、
投影スクリーンの外方に設けられ、投影スクリーンに光を入射する投影装置と、を備えたことを特徴とする投影システム。
【発明の詳細な説明】
【技術分野】
【０００１】
本発明は、波長選択性を有する干渉膜を備えた光学素子、この光学素子を用いた投影スクリーン、およびこの光学素子を用いた投影システムに関する。
【背景技術】
【０００２】
従来より干渉膜を備えた光学素子またはこのような光学素子を用いる製品として、干渉フィルター、バンドパスフィルター等、特定の色の光を反射光または透過光として取り出す光学部品、カラーフィルターや偏光分離素子、輝度向上フィルム等のディスプレイ部材、およびこれらの光学部品やディスプレイ部材を利用する投影スクリーン等が提案されている。
【０００３】
また、コレステリック配向性を有する光学素子として反射素子が知られている。具体的には、このような反射素子は、液晶ディスプレイ部材の偏光分離反射素子等として利用されたり、またカラーフィルターやネガティブＣプレート等においても利用されている。
【０００４】
また、上述した投影スクリーンとしては、コレステリック液晶を用いる偏光スクリーンが知られており、さらに、近年、光の拡散性を制御するコレステリック液晶層を用いるスクリーンやＬＣＤ用反射板が知られるようになっている。
【０００５】
このような背景の下で、本発明者は、反射する光の拡散角が互いに異なる２層以上の干渉膜を有し、観察者側から投射された映像光をこの干渉膜に反射させることにより映像を表示する投影スクリーンを提案している（特許文献１および２参照）。
【特許文献１】特開２００５−１０７２９６号公報
【特許文献２】特開２００６−１７９３０号公報
【発明の開示】
【発明が解決しようとする課題】
【０００６】
しかしながら、上述した光学素子は、干渉膜内部のピッチ構造の積層方向が干渉膜の表面方向に対して垂直となっており、このため、このような干渉膜は、干渉膜へ入射する入射光が反射してしまい、入射光を十分に透過させかつ拡散させることができない。
【０００７】
また、コレステリック液晶からなる干渉膜内部に不均一方向を向く多数の螺旋軸構造を形成することにより、光の拡散性を付与する光学素子も知られている。しかしながら、これらの光学素子は光を反射する反射素子からなっており、光拡散透過性は乏しい。
【０００８】
さらに、特許文献１および２において、光の拡散角が異なる複数の拡散層を積層させる投影スクリーンが開示されているが、これらの投影スクリーンは光の入射方向と光の主反射方向とが正反射の関係にあり、また、入射する光を透過させる光拡散透過性も有しない。
【０００９】
一方で、透過スクリーンとしては、一般にマット状のフィルムやレンズシートなどを用いたリアスクリーンが存在する。しかしながら、このようなリアスクリーンは、透過光を効率的に光拡散することができるが、透明性を得ることは困難である。
【００１０】
本発明はこのような点を考慮してなされたものであり、入射した光のうち特定の波長を有する光を内部において選択的に反射させ、この光を入射側と反対方向に透過させることができる光学素子を提供することを目的とする。
【課題を解決するための手段】
【００１１】
本発明は、各々が複数の単位干渉構造を含むとともに、入射光に対する波長選択性を有する複数の干渉膜を備えた光学素子において、各干渉膜に設けられた各単位干渉構造の界面の法線方向が、光学素子の法線方向に対して４５°乃至９０°の範囲内となり、光学素子裏面からの入射光を各単位干渉構造で反射して光学素子表面に透過させることを特徴とする光学素子である。
【００１２】
本発明は、各々が複数の単位干渉構造を含むとともに、入射光に対する波長選択性を有する複数の干渉膜を備えた光学素子において、各干渉膜に設けられた各単位干渉構造の界面の法線方向が、光学素子の法線方向に対して４５°乃至９０°の範囲内となり、光学素子裏面からの入射光を各単位干渉構造で反射して光学素子表面に透過させることを特徴とする光学素子である。
【００１３】
本発明は、各単位干渉構造の光学的距離の１ピッチの長さが、３００ｎｍ乃至８６０００ｎｍの範囲内となることを特徴とする光学素子である。
【００１４】
本発明は、各単位干渉構造の界面の法線方向が、光学素子の法線方向に対して４５°乃至９０°の範囲内においてばらつきを持つことを特徴とする光学素子である。
【００１５】
本発明は、各単位干渉構造の界面間の距離が一定となることを特徴とする光学素子である。
【００１６】
本発明は、各単位干渉構造の界面間の距離が連続的に変化することを特徴とする光学素子である。
【００１７】
本発明は、干渉膜が偏光分離特性を有することを特徴とする光学素子である。
【００１８】
本発明は、干渉膜がコレステリック液晶からなることを特徴とする光学素子である。
【００１９】
本発明は、光学素子からなる投影スクリーンである。
【００２０】
本発明は、光学素子からなる投影スクリーンと、投影スクリーンの外方に設けられ、投影スクリーンに光を入射する投影装置と、を備え、投影装置から投影スクリーンに入射する光は、投影スクリーンの光学素子に設けられた干渉膜が選択的に反射する偏光成分からなることを特徴とする投影システムである。
【００２１】
本発明は、投影スクリーンと、投影スクリーンの外方に設けられ、投影スクリーンに光を入射する投影装置と、を備えたことを特徴とする投影システムである。
【発明の効果】
【００２２】
本発明によれば、光学素子の干渉膜は、入射した光のうち特定の波長を有する光を、干渉膜内部に設けられた単位干渉構造において選択的に反射させ、この光を入射側と反対方向に透過させることができる。
【００２３】
また、本発明によれば、各単位干渉構造の界面の光軸方向を光学素子の法線方向に対して４５°乃至９０°の範囲内でばらつかせ、これにより、光学素子の入射側と反対方向に透過された光が拡散性を有するものとすることができる。
【００２４】
さらに、本発明によれば、複数の干渉膜を備えた光学素子の各干渉膜をそれぞれ青、緑、赤の３色の光からなる光の反射帯域を有するものとすることができる。また、光学素子の背後からの光を効率的に透過させることができる。また、光学素子の透明性を向上させることができる。
【００２５】
さらにまた、本発明によれば、２以上の干渉膜を備えた光学素子において、各干渉膜の光の反射帯域を互いに異なるものとすることができる。
【００２６】
さらにまた、本発明によれば、干渉膜内部にコレステリック構造を有し、この干渉膜に特定の偏光成分からなる偏光のみを反射させる偏光選択性を付与することができる。これにより、光学素子の裏面からの光を効率的に透過させることができ、また、光学素子の透明性を向上させることができる。
【００２７】
さらにまた、本発明によれば、干渉膜内部にコレステリック構造を有し、偏光選択性を有する場合、コレステリック構造を有する干渉膜は、それ自体の構造により反射光の拡散角を制御できる。これにより、干渉膜が選択的に反射する特定の偏光成分からなる偏光のみに拡散性を付与することができ、光学素子から反射される映像、および光学素子を透過する映像を鮮明なものとすることができる。一方、干渉膜が選択的に反射しない偏光成分からなる偏光は、干渉膜により拡散されないため、光学素子を透過する背景を鮮明に視認することができる。
【００２８】
さらにまた、本発明によれば、投影装置からの入射光を投影スクリーンに入射した場合に、この入射光が投影スクリーンを透過し、これにより投影装置の反対側から映像光を明確に視認することができる。
【発明を実施するための最良の形態】
【００２９】
第１の実施の形態
以下、本発明による光学素子の第１の実施の形態について、図１乃至図３、図５乃至図１０、および図１２を参照して説明する。
ここで、図１は本発明による光学素子の第１の実施の形態を示す概略断面図であり、図２は単位干渉構造の界面の法線方向が図１と異なる場合における光学素子の概略断面図である。また、図３は、各単位干渉構造の界面の法線方向がばらつきを持つ光学素子の概略断面図であり、図５は、偏光分離機能を有する光学素子の概略断面図である。さらに、図６は、コレステリック液晶からなる干渉膜の概略断面図であり、図７は、コレステリック液晶の一の螺旋構造を示す概略図である。さらにまた、図８は、内部に凹凸形状を有する干渉膜の概略断面図であり、図９は、内部に多数のフレーク状の反射体を有する干渉膜の概略断面図であり、図１０は、コレステリック液晶からなる干渉膜の概略断面図であり、図１２は、コレステリック液晶層と基材との間に配向膜を有する光学素子の概略断面図である。
【００３０】
まず、図１により本発明による光学素子の概略について説明する。
図１に示すように、光学素子１０は、入射光１５に対する波長選択性を有する干渉膜１３を備え、この干渉膜１３は、複数の単位干渉構造１１を含んでいる。
【００３１】
このうち、干渉膜１３の各単位干渉構造１１の界面１２の法線１４方向と、光学素子１０の法線１７方向とがなす角θ１は、４５°乃至９０°の範囲内となり、光学素子裏面１０ｂからの入射光１５を各単位干渉構造１１で反射して光学素子表面１０ｃに透過させるようになっている。この干渉膜１３は、いわゆるブラッグ反射を発現するものであり、一般的には干渉フィルター、バンドパスフィルター等からなり、特定の波長の光のみを選択的に反射する性質を有している。なお、各単位干渉構造１１の界面１２の法線１４は、後述のように界面１２の光軸１４に一致する。
【００３２】
ここで、単位干渉構造１１は、後述するように干渉膜１３が透明体にフレーク状の反射体を練り込んで形成された場合のように、その構造が外観上明確に視認できる場合に限らず、例えば干渉膜１３がコレステリック液晶である場合のように、干渉膜１３が連続的な構造となっている場合においても内部に構成されている。すなわち、干渉膜１３が連続的な構造であっても、内部に入射する光の反射方向が実質的に一定であると見なすことができ、界面１２が実質的に平面であると見なせる領域の単位が単位干渉構造１１となる。
【００３３】
また、各単位干渉構造１１の界面１２間の距離ｄは一定であってもよく、各単位干渉構造１１の界面１２間の距離ｄが連続的に変化するものであっても良い。
【００３４】
（光軸の傾き）
次に、単位干渉構造１１に設けられた界面１２の法線１４に一致する光軸１４について説明する。
本実施の形態において、光軸１４の傾きは、界面１２の法線１４と、光学素子１０の法線１７とがなす角度θ１に一致する。この角度θ１は、４５°乃至９０°の範囲となるのが好ましい。すなわち、原理的にはθ１が４５度以下であると、単位干渉構造１１で反射した光１６’を光学素子１０の表面１０ｃ側に透過させることができない。したがって、光学素子１０に対して斜めに入射する入射光１５を光学素子１０の略正面方向に透過させるにはθ１が６０°乃至９０°の範囲が好ましく、θ１が７０°乃至９０°の範囲となるのが最も好ましい。
【００３５】
例えば後述する条件、すなわち単位干渉構造１１の界面１２へ光が垂直に入射したときの反射波長λ０を１２００ｎｍとし、光学素子１０の平均屈折率を１．５８とする条件の下において、入射角θ３が８０°かつ出射角θ５が０°となる光軸１４の傾きθ１は、θ１＝７０．７°となる。
【００３６】
なお、光学素子１０の干渉膜１３内に設けられた全ての単位干渉構造１１の光軸１４の傾きθ１が４５°乃至９０°の範囲に含まれている必要はない。原理的に、または製造工程上の理由により、干渉膜１３内部において光軸１４の傾きθ１が０°乃至４５°となる領域が含まれる場合もある。しかしながら、各光軸１４の傾きθ１は、概ね４５°乃至９０°となるのが好ましい。
【００３７】
一方、わずかな透過光を得るのであれば、光軸１４の傾きθ１が４５°乃至９０°となる干渉膜１３の領域（以下有効ドメイン領域という）が干渉膜１３の全体に占める割合は０％に近くても良い。すなわち、干渉膜１３の有効ドメイン領域がわずかでも光学素子１０内に存在すれば、透過光１６を得ることができる。ただし、入射光１５の強度に対する透過光１６の強度を高めたい場合には、有効ドメイン領域が干渉膜１３全体に占める割合は、体積率にして５０％乃至１００％となることが好ましい。これは、有効ドメイン領域の体積率が５０％未満となると、単位干渉構造１１で選択反射された光１６’のうち、透過側（表面１０ｃ側）へ透過する透過光１６の光量より、入射側（裏面１０ｂ側）へ戻る光の光量が多くなるためである。したがって、透過光１６の光量を多くするためには、有効ドメイン領域が干渉膜１３全体に占める体積率が、７０％乃至１００％となるのが好ましい。
【００３８】
（光学的距離およびピッチ）
次に、光学的距離およびピッチについて説明する。
光学的距離とは、光が実空間を伝播する距離に媒質の屈折率を乗じた値と定義され、ピッチとは、単位干渉構造１１の繰り返しピッチのことをいう。単位干渉構造１１は、入射した光１５’の光学的距離の１ピッチの長さと等しい長さの波長の光１６’を選択的に反射する性質を有する。後述するブラッグの反射条件により、入射角θ２が大きくなると反射波長λが小さくなって短波長側ヘシフトする、いわゆるブルーシフトが生じる。
ここで、入射角θ２とは、単位干渉構造１１の界面１２の光軸１４と単位干渉構造１１に入射する光１５’とがなす角をいい、例えば、界面１２と垂直に光１５’が入射する場合にθ２＝０°となり、界面１２と平行に光１５’が入射する場合にθ２＝９０°となる。
【００３９】
このブルーシフトを勘案すれば、光学的距離の１ピッチの長さは限定されない。しかしながら、干渉膜１３を形成する物質には光吸収が存在する。これにより、入射光１５の波長が３００ｎｍ以下の場合、実際上干渉膜１３が有機物を吸収するため、透過光１６を得るのが難しい。また、入射光１５’の波長が長波長となると、単層結合の赤外吸収により１５００ｎｍ付近の光は透過されにくい。
【００４０】
このことにより、ブルーシフトの作用を考慮すると、干渉膜１３の単位干渉構造１１への入射角θ２の最小値はθ２＝０°となる。ただし、θ２＝０°とすると透過光１６が得られないので、θ２＝１°とすると、光学的距離の１ピッチは３００ｎｍ÷ｃｏｓ１°＝３００ｎｍとなり、これが光学的距離の１ピッチの最小値となる。一方、入射角θ２の最大値は９０°であるが、θ２＝９０°とすると単位干渉構造１１で光が反射しないため、θ２＝８９°とすると、光学的距離の１ピッチの最大値は、１５００ｎｍ÷ｃｏｓ８９°＝８５９４８ｎｍとなる。したがって、光学的距離の１ピッチは３００ｎｍ乃至８６０００ｎｍの範囲となるのが好ましい。
【００４１】
ところで、可視光の波長領域は３８０ｎｍ乃至７８０ｎｍであるため、透過光１６を可視光の波長領域で得るためには、上述した場合と同様に算出すると、光学的距離の１ピッチは約３８０ｎｍ乃至４５０００ｎｍの範囲となるのが好ましい。
【００４２】
なお、干渉膜１３は任意に選択することができ、干渉膜１３の屈折率により光学素子１０への入射角θ３および単位干渉構造１１への入射角θ２を変化させることができるため、上述した光学的距離の１ピッチの算出にあたっては、入射角の数値として入射角θ２で示した。
【００４３】
具体的には、光学素子１０として樹脂材料を用いた場合、光学素子１０の屈折率はおよそ１．４となるので、光学素子１０にθ３＝８９°で入射した光１５は、光学素子１０内で屈折してθ４＝４６°となって光学素子１０内部を進む。したがって、このようにして光学素子１０内部を進む光１５’が単位干渉構造１１へ入射する入射角θ２の範囲は、実質的にθ２＝１°乃至４６°となる。このため、光学素子１０の光学的距離の１ピッチは約３００ｎｍ乃至２１００ｎｍの範囲となり、さらに透過光１６を可視光とするためには、光学的距離の１ピッチが３８０ｎｍ乃至１１００ｎｍの範囲とする必要がある。
【００４４】
（透明性）
次に、光学素子１０の透明性について説明する。
光学素子１０において、単位干渉構造１１の反射帯域に含まれない波長の光（入射角のブルーシフトにより波長が変化した光も含む）は、光学素子１０と光学的に作用しないため、そのまま光学素子１０を透過する。後述する光学素子１０の光拡散機能も、実質的には光学素子内部の光の透過には影響を与えない。すなわち、背景からの外光等のうち光学素子１０により作用されない波長の光は、光学素子１０により拡散されずに光学素子１０内部を透過する。これにより、光学素子１０の透明性が維持されることになる。
【００４５】
なお、上述した透明性とは、光学素子１０により入射した光１５’が拡散されず、その大部分が光学素子１０内を透過することを意味する。したがって、すりガラス等のマット上の物質とは明確に異なる。また、ＬＣＤ等で使用されるＡＧフィルムは透明性がなく、一方、車のダークガラス等、透過強度は落ちるが拡散効果を有さない物質は透明性があることになる。
【００４６】
さらに、光学素子１０の透明性を実現する手段としては、例えば干渉膜１３の光の反射率を制限する手段が挙げられる。すなわち、例えば光学素子１０をいわゆるハーフミラーとすることにより、干渉膜１３の反射帯域に属する光であっても一部の光を透過させることができ、上述した透明性を実現することができる。
【００４７】
（光拡散性）
また、図３に示すように、光学素子１０の干渉膜１３は光拡散性を持っても良い。すなわち、各単位干渉構造１１の界面１２の光軸１４方向が、光学素子１０の法線１７方向に対して４５°乃至９０°の範囲内においてばらつきを持っていても良い。この場合、入射光１５が一定の入射角θ３で入射しても、透過光１６は所定の角度範囲をもって光学素子１０を拡散透過する。例えば、映像光からなる入射光１５を光学素子１０に入射した場合に、映像を透過光１６として視認することが可能となる。
【００４８】
光学素子１０の干渉膜１３の光拡散性は、光学素子１０内部に設けられた反射面をランダムに配置することによって実現できる。すなわち、光学素子１０内部の微小領域における光の反射方向を異ならせることにより、光学素子１０の面全体として光を拡散反射させることができる。
【００４９】
例えば図８に示すように、このような拡散性を有する光学素子１０として、凹凸形状２１ａを有する反射体２１と、反射体２１に接触して設けられた透明体２２とを備えた光学素子１０が用いられる。ここで、反射体２１に接触する透明体２２が設けられているのは、反射体２１の凹凸形状２１ａが外方に露出していると、光学素子１０の偏光選択性や波長選択性に関わらず光学素子１０が透明性を失う場合があるためである。したがって、このような光学素子１０の透明体２２は、表面２２ａが平滑であることが必要である。
【００５０】
また、図９に示すように、光学素子１０の干渉膜１３の光の拡散性は、フレーク状の反射体２６を層状に形成することによっても実現できる。この場合、光学素子１０は、バインダー樹脂等の透明体２５に多数のフレーク状の反射体２６を練り込むことにより構成される。
【００５１】
さらに、図１０に示すように、光学素子１０の干渉膜１３の光の拡散性は、コレステリック液晶層を利用することによっても実現できる。すなわち、光学素子１０の干渉膜１３がコレステリック液晶層からなる場合、光学素子１０の干渉膜１３内部の螺旋構造２７を不均一に配置することにより光の拡散性を実現できる。また、コレステリック液晶の構造は分子レベルでの構造であり、このため、内部における界面反射等の迷光を少なくすることができ、良好な光の拡散反射特性および光の透過特性を得ることができる。このようなコレステリック液晶を用いた拡散制御については、特開２００５−１０４３２号公報、特開２００５−１７７５１号公報、特開２００５−１７４０５号公報、特開２００５−３７８０７号公報、および特開２００５−３７７３５号公報に開示されている。なお、図１０において、螺旋構造２７が模式的に記載されているが、実際は、光学素子１０の干渉膜１３内全てがコレステリック液晶から構成されている。
【００５２】
（偏光分離機能）
図５に示すように、光学素子１０の干渉膜１３は、互いに共通する特定の偏光成分からなる偏光を分離して反射する偏光分離機能を有していてもよい。ここで、偏光分離機能とは、特定の偏光を反射し、残りの偏光を透過する機能であり、直線偏光分離機能や円偏光分離機能が知られている。
【００５３】
図５に示す光学素子１０において、光学素子１０内部を透過した透過光１６ａ、１６ｂの波長は図１に示す場合と同様であるが、入射光１５ａ、１５ｂが偏光成分を有する点が図１に示す実施の形態と異なっている。この場合、光学素子１０はいわゆるハーフミラーとなり、入射光１５ａ、１５ｂの偏光成分により光の反射や透過を制御する。例えば、入射光１５ａが、光学素子１０の干渉膜１３が選択的に反射する偏光成分からなる光であるとき、入射光１５ａのうち、特定の波長の光が光学素子１０内部において効率良く反射され、輝度の高い透過光１６ａを得ることができる。
【００５４】
一方、図５に示すように、入射光１５ｂが、光学素子１０の干渉膜１３が選択的に反射する偏光成分と逆の偏光成分からなる光であるとき、光学素子１０の干渉膜１３は入射光１５ｂを反射することなく透過光１６ｂとして透過させる。
【００５５】
（偏光選択性）
また、干渉膜１３は偏光選択性を備えても良い。このような偏光選択性を有する干渉膜１３は、内部に多層に積層された薄膜が屈折率異方性を有しており、これにより、干渉膜１３は特定の偏光成分からなる光を選択的に反射することができる。このような干渉膜１３として、具体的には、ＬＣＤに用いられる偏光分離フィルムまたは輝度向上フィルムが挙げられる。また、このような干渉膜１３は、図６に示すようなコレステリック液晶の螺旋構造２７を有する薄膜であっても良い。すなわち、内部の螺旋構造２７により、このようなコレステリック液晶層は、特定の円偏光からなる入射光のうち特定の波長の光を選択的に反射する性質を有している。
【００５６】
（波長選択性）
次に、波長選択性について説明する。干渉膜１３の波長選択性は単位干渉構造１１の光学的距離の１ピッチの長さ（ピッチ長）によって定まる。すなわち、反射波長は単位干渉構造１１のピッチ間隔とその屈折率とにより決定される。屈折率の異なる薄膜を交互に積層し、かつ各々の膜厚を適切に設定することにより、所望の反射特性が得られる。
【００５７】
この具体的な例は、特開２００３−２７０７２５等に詳細に開示されている。また、光学素子１０が偏光分離機能を有するためには、干渉膜１３を構成する層に複屈折を持たせることが必要となる。これは、特表２００２−５４０４４５等に開示されている。干渉膜１３がコレステリック液晶からなる場合、単位干渉構造１１のピッチは分子の自己組織化により形成される。このピッチ長の制御は、材料のもつヘリカルツイスティングパワー（ＨＴＰ）に依存する。ＨＴＰは材料の分子構造により様々な値をもち、また、光学活性部位をもつカイラル剤をネマチック液晶などに添加することによって、任意のピッチ長を得ることができる。それ以外にもＵＶ露光、温度などのプロセス制御により所望のピッチ長を得ることができる。コレステリック液晶に関しては、特開平１０−５４９０５、特開２００１−１０００４５等に開示されている。
【００５８】
図６および図７を用いて、コレステリック液晶による螺旋軸２４、すなわち螺旋構造２７の軸方向制御について説明する。
本発明において、干渉膜１３としてコレステリック液晶を使用する場合、コレステリック構造の螺旋軸２４を光学素子１０平面の法線１７に対して４５°乃至９０°に傾ける必要がある。螺旋軸２４の方向は、電気印加によって制御できる場合もあるが、コレステリック構造自体が壊れてしまう可能性があり、好ましくない。また、プロセス上、配向後に高分子化すること、層状として実用的なものに加工することが難しい。
【００５９】
最適な方法としては、材料自体で軸方向が傾くものがよい。材料設計により、基材に塗布し配向処理を行えば、自発的に所望の構造をとることが望ましい。ただし、一般的に螺旋軸２４は基板平面に対して垂直となる材料が多いので、その場合は、垂直配向液晶をコレステリック液晶に混合する手法が望ましい。垂直配向液晶は基板平面に対してその棒状分子が垂直に立つ性質があり、これを利用してコレステリック構造も形成される。
【００６０】
コレステリック構造は模式的には横になった棒状分子が螺旋を作りながら積み重なったもので、その分子の長手方向に対する垂直方向が螺旋軸２４方向となる。よって、基板に垂直に立った棒状分子を基点に螺旋構造２７が作られると、結果的に螺旋軸２４が基板平面と平行に、すなわち、コレステリック構造の螺旋軸２４方向が、光学素子１０の法線１７に垂直となる。
【００６１】
また、これとは別に、配向膜により螺旋軸２４の方向を制御することも可能である。液晶構造は界面を基点に構造を構築するので、図１２に示すように、コレステリック液晶層４１と基材４３との間にコレステリック液晶層４１内の液晶を垂直に立たせる配向膜４２を予め形成することにより、所望の構造を有する光学素子１０が得られる。
【００６２】
さらに、添加剤により、同様の効果を得ることもできる。界面活性剤などの添加剤に界面改質の作用がある場合、液晶分子自体が垂直配向性を有していなくても、垂直配向材料と同様の効果を得ることができる。
【００６３】
これら液晶材料、配向膜、添加剤等を用いて光学素子１０を構成する手法については、特開平１０−３１９４０８、特開２００５−１６５２４０、特開平９−２８１５０２、特開２００２−１７４７２４、特表２００２−５３０７２０、特開２００４−８３８１０、特表２００４−５２４３８５、特開平７−２５８６３８、特表平１０−５０８８８２に開示されている。
【００６４】
（機能性保持層）
なお、図１に示すように、光学素子１０の表面には機能性保持層１０ａが設けられていても良い。
この機能性保持層１０ａとしては、例えば、反射防止層（ＡＲ層）、ハードコート層（ＨＣ層）、紫外線吸収層（ＵＶ吸収層）および帯電防止層（ＡＳ層）などを用いることができる。
【００６５】
ここで、反射防止層（ＡＲ層）は、光学素子１０の表面での光の反射を抑えるための層である。このような反射防止層としては、ＡＲフィルム等、光学素子１０に入射する光の界面反射強度を抑制する反射防止層が好ましい。また、ＡＲフィルムは拡散性を有しないため、光学素子１０の透明性を維持することもできる。
なお、マット形状からなる反射防止層は拡散性を有するため好ましくない。
【００６６】
また、ハードコート層（ＨＣ層）は、光学素子１０の表面を保護して傷付きや汚れの付着などを防止するための層である。紫外線吸収層（ＵＶ吸収層）は、光学素子１０に入射する光のうち液晶性組成物を黄色へ変化させる原因となる紫外線成分を吸収するための層である。帯電防止層（ＡＳ層）は、光学素子１０で生じる静電気を除去するための層である。このような機能性保持層１０ａは、ヘイズが小さく透明性が高いものが好ましい。また、複屈折が小さく、通過する光の偏光状態を変化させないものが好ましい。
【００６７】
次に、このような構成からなる本実施の形態の作用について述べる。
まず光学素子１０の干渉膜１３に斜めから入射光１５が入射される。この入射光１５は、干渉膜１３内を進む光１５’となって、干渉膜１３の単位干渉構造１１に到達する。この単位干渉構造１１に到達した光１５’は、単位干渉構造１１によりブラッグ反射される。次に、単位干渉構造１１により反射された光１６’は、光１５’の入射角θ２と単位干渉構造１１に設けられた界面１２の光軸１４の角度との関係から、干渉膜１３内を光学素子表面１０ｃに向けて進み、光学素子表面１０ｃから光学素子１０の外方に出射角θ５で出射される。このように光学素子１０は、入射光１５のうち特定の波長を有する光１６を光学素子の表面１０ｃ側へ透過する作用を有する。
【００６８】
（本実施の形態の原理）
次に、図１を参照して本発明の原理を説明する。
本発明は光の波長選択性を利用して透過光を得ることを目的とするものであり、光学原理上は光の反射作用を利用するものである。
【００６９】
図１において、光学素子１０の干渉膜１３が選択反射する光の波長域は、干渉膜１３の単位干渉構造１１が形成する光学的距離および単位干渉構造１１の光軸１４への入射角θ２により決定される。
まず、ブラッグの反射条件から、界面１２で反射する光１６’の波長λは、
λ＝λ０×ｃｏｓθ２・・・（１）
で与えられる。
ここで、λ０は、界面１２へ光が垂直に入射するときの反射波長であり、角θ２は、単位干渉構造１１の光軸１４（界面の法線方向）を０°としたときの光１５’の入射角である。また、λ０は光学的距離の１ピッチと等しい長さの波長である。
【００７０】
また、反射波長λはある程度の幅を有する。この反射帯域は多層からなる単位干渉構造１１間の屈折率の差により決定される。すなわち、交互積層される単位干渉構造１１の屈折率の差が大きいと反射帯域が広くなる。この反射帯域は、反射波長λを中心に△λの幅をもつ。
【００７１】
次に、具体的な数値を用いて、本発明の原理を更に詳細に説明する。
図１において、光学素子１０の干渉膜１３に複数の単位干渉構造１１が設けられている。この単位干渉構造１１の界面１２へ光が垂直に入射したときの反射波長λ０を１２００ｎｍとし、光学素子１０の平均屈折率を１．５８とする。また、干渉膜１３に設けられた単位干渉構造１１の光軸１４が、光学素子１０の法線１７に対して８５°の角をなしているとする（すなわち、θ１＝８５°）。さらに、入射光１５は、光学素子１０の法線１７に対して４５°の角となるよう入射するものとする（すなわち、θ３＝４５°）。
【００７２】
まず、光学素子１０の裏面１０ｂ側に入射光１５が入射角θ３で入射する。この入射光１５は空気と光学素子１０の裏面１０ｂとの間で屈折し、入射角θ４＝２７°で光学素子１０内を通過する光１５’となる。
入射角θ４＝２７°で光学素子１０内に入射した光１５’が、光学素子１０の法線１７に対して８５°傾いている単位干渉構造１１の界面１２に入射すると（入射角θ２＝６８°）、光１５’は界面１２に対して正反射し、単位干渉構造１１の光軸１４を基準として反射角θ８＝６８°で反射する光１６’となる。ここで、反射角θ８とは、単位干渉構造１１の界面１２の光軸１４と単位干渉構造１１で反射する光１６’とがなす角をいう。
この反射した光１６’は、光学素子１０の表面１０ｃから空気界面へ出るときに再度屈折し、光学素子１０の法線１７に対して出射角θ５＝２７°で出射し、透過光１６となる。
【００７３】
この透過光１６の中心波長は、界面１２へ光が垂直に入射したときの反射波長λ０と入射角θ２の余弦との積、すなわち、１２００ｎｍ×ｃｏｓ６８°＝４５０ｎｍとなる。
【００７４】
なお、図２に示すように、単位干渉構造１１の光軸１４が光学素子１０の法線１７に対して約７７°傾いていて、かつ、光学素子１０に入射する入射光１５の入射角が４５°であるとき、透過光１６は略法線１７と同一方向へ出射し、このとき透過光１６の波長は理論上２７０ｎｍとなる。ただし、上述したように、入射光１５の波長が３００ｎｍ以下となる場合、干渉膜１３が有機物を吸収するため、実際上は透過光１６を得るのが難しい。
【００７５】
単位干渉構造１１で反射する光１６’の波長帯域は、単位干渉構造１１内の屈折率差△ｎに依存する。また反射幅△λは、△λ＝△ｎ×Ｐ（Ｐはピッチ長）で与えられる。上述の具体例で、入射角θ３＝４５°であるが、本原理を満たすのであれば入射角θ３、出射角θ５、および干渉膜１３の構造は限定されない。
【００７６】
このように、本実施の形態によれば、光学素子１０の干渉膜１３は、入射した入射光１５のうち特定の波長を有する透過光１６を、干渉膜１３内部に設けられた単位干渉構造１１において選択的に反射させ、この透過光１６を入射側と反対方向に透過させることができる。
【００７７】
また、本実施の形態によれば、光学素子１１の入射側と反対方向に透過された透過光１６が拡散性を有するものとすることができる。
【００７８】
さらに、本実施の形態によれば、干渉膜１３内部にコレステリック構造を有し、この干渉膜１３に特定の偏光成分からなる偏光のみを反射させる偏光選択性を付与することができる。これにより、光学素子１０の裏面１０ｂ側からの光を効率的に透過させることができ、また、光学素子１０の透明性を向上させることができる。
【００７９】
さらにまた、本実施の形態によれば、干渉膜１３内部にコレステリック構造を有し、偏光選択性を有する場合、コレステリック構造を有する干渉膜１３は、それ自体の構造により透過光１６の拡散角を制御できる。これにより、この干渉膜１３が選択的に反射する特定の偏光成分からなる偏光のみに拡散性を付与することができ、光学素子１０から反射される映像、および光学素子１０を透過する映像を鮮明なものとすることができる。一方、当該干渉膜１３が選択的に反射しない偏光成分からなる偏光は、干渉膜１３により拡散されないため、光学素子１０を透過する背景を鮮明に視認することができる。
【００８０】
第２の実施の形態
次に、図４により本発明による光学素子の第２の実施の形態について説明する。ここで、図４は、本発明による光学素子の第２の実施の形態を示す概略断面図である。
図４による第２の実施の形態は、光学素子が複数の干渉膜からなる点が異なるものであり、他の構成は図１乃至図３、図５乃至図１０、および図１２に示す第１の実施の形態と略同一である。
【００８１】
まず、図４により本発明による光学素子の概略について述べる。
図４に示す第３の実施の形態において、光学素子１０は、入射光１５に対する波長選択性を有する複数の干渉膜１３ａ、１３ｂ、１３ｃを備え、各干渉膜１３ａ、１３ｂ、１３ｃが複数の単位干渉構造１１を含んでいる。
光学素子１０は、各干渉膜１３ａ、１３ｂ、１３ｃに設けられた各単位干渉構造１１の界面１２の法線１４方向が、光学素子１０の法線１４方向に対して４５°乃至９０°の範囲内となっており、光学素子裏面１０ｂからの入射光１５を各単位干渉構造１２で反射して光学素子表面１０ｃに透過させるようになっている。
【００８２】
干渉膜１３ａ、１３ｂ、１３ｃは、各干渉膜１３ａ、１３ｂ、１３ｃに設けられた単位干渉構造１１による光の反射方向により、反射光の波長が異なるという性質を有する。この反射光の反射帯域には幅があるため、ある程度の広さからなる視野角の範囲内において、緑など略同一の色の透過光１６を視認することができる。
【００８３】
本実施の形態において、光学素子１０の各干渉膜１３ａ、１３ｂ、１３ｃは、その反射帯域がずれており、光学素子１０は、このような干渉膜１３ａ、１３ｂ、１３ｃを積層して形成されたものである。ここで、干渉膜１３ａ、１３ｂ、１３ｃの光学的距離の１ピッチをそれぞれ１２００ｎｍ、１４６８ｎｍ、１６８２ｎｍとし、このような干渉膜１３ａ、１３ｂ、１３ｃを互いに積層して光学素子１０を形成する。この場合、これら干渉膜１３ａ、１３ｂ、１３ｃは、それぞれ４５０ｎｍ、５５０ｎｍ、６３０ｎｍ付近の波長の光を透過する。このようにして、光学素子１０は、フルカラーの光を透過して表示することが可能となる。
【００８４】
（中間層）
ところで、各干渉膜１３ａ、１３ｂ、１３ｃの間に空気界面が存在すると、空気界面において反射する光の屈折率の差が大きくなり、光学特性が悪化する。このため、各干渉膜１３ａ、１３ｂ、１３ｃの間に空気界面が存在しないことが好ましく、各干渉膜１３ａ、１３ｂ、１３ｃが互いに直接積層されるか、各干渉膜１３ａ、１３ｂ、１３ｃ間に接着層や粘着フィルム等を設けて密着されることが好ましい。また、各干渉膜１３ａ、１３ｂ、１３ｃが上述のような偏光分離機能を有している場合において、各干渉膜１３ａ、１３ｂ、１３ｃの間に接着層や粘着フィルムなどの中間層を配置する場合は、このような中間層が位相差を持たないことが好ましい。
【００８５】
このように、本実施の形態によれば、複数の干渉膜１３ａ、１３ｂ、１３ｃを備えた光学素子１０の各干渉膜１３ａ、１３ｂ、１３ｃをそれぞれ青、緑、赤の光の反射帯域を有するものとすることにより、光学素子１０がフルカラーの光を透過して表示することができ、また、光学素子１０の裏面１０ｂからの光１５を効率的に透過させるとともに、光学素子１０の透明性を向上させることができる。
【００８６】
第３の実施の形態
次に、図１１により本発明の第３の実施の形態における投影システムについて説明する。
ここで、図１１は、本発明の第３の実施の形態における投影システムを示す正面図である。
【００８７】
図１１に示す投影システム３０は、以下に示すように光学素子１０からなる投影スクリーン３１と、投影装置３２とからなっており、投影スクリーン３１の光学素子１０は、図１乃至図３、図５、図６、図８乃至図１０、または図１２のいずれかに示す光学素子１０と同様の構成を有している。なお、投影システム３０の光学素子１０が図４に示す光学素子１０と同様の構成を有していても良い。
【００８８】
まず、図１１により本発明による投影システムの概略について述べる。
図１１に示すように、投影システム３０は、光学素子１０からなる投影スクリーン３１と、投影スクリーン３１の外方に設けられ、投影スクリーン３１に入射光３３を入射させる投影装置３２とを備えている。
【００８９】
このうち投影スクリーン３１は、投影スクリーン３１に入射した入射光３３のうち、特定の波長からなる光を選択的に反射して透過光３４として出射するものであり、入射面と反対側の面で映像を見ることができるリアスクリーンである。また、投影スクリーン３１に拡散性を付与することもでき、これにより広い視野角で映像光を視認することができる。一方、背景などの外光のうち、投影スクリーン３１の光学素子１０と作用しない入射角θ６で入射した波長の入射光３３は、光学的作用を受けずにそのまま投影スクリーン３１を透過するため、投影スクリーン３１は透明性を有するものとなる。このようにして、投影スクリーン３１は透過光と背景が融合したシースルースクリーンとなる。
【００９０】
次に、このような構成からなる本実施の形態の作用について述べる。
図１１に示すように、投影スクリーン３１に対して、図１１の裏面（右）方向から入射光３３を入射角θ６で入射する。投影スクリーン３１は、投影スクリーン３１へ入射した入射光３３のうち、特定の波長、偏光成分を有する光を投影スクリーン３１の表面（左）方向に透過させ、透過光３４として出射させる。
【００９１】
図１１において、透過光３４の出射角θ７は、入射角θ６および光学素子１０の内部構造により決定される。例えば、投影スクリーン３１の光学素子１０内部において、光軸１４と光学素子１０の法線１７とのなす角が約９０°であれば、どのような入射角θ６で入射光３３が入射しても、表面（左）側へ透過光３４を透過させることができる。一方、光軸１４と光学素子１０の法線１７とのなす角が約４５°であれば、投影スクリーン３１の表面とほぼ平行な方向から入射光３３を入射させて透過光３４を得ることができる。このように、投影スクリーン３１は、入射角θ６や出射角θ７の変化により任意の波長からなる透過光３４を分離して透過することができる。
【００９２】
なお、この入射角θ６は投影スクリーン３１の光学素子１０の構造に依存するが、具体的には、１０°乃至８０°のいずれかの角度が好適である。
【００９３】
ここで、投影スクリーン３１の光学素子１０が偏光分離機能を有し、かつ入射光３３が偏光成分を有する光である場合は、偏光成分を有しない光の場合より明るく鮮明な透過光３４を視認することができる。例えば、光学素子１０が偏光分離機能を有している場合において、投影装置３２がＬＣＤプロジェクターの場合、投影装置３２から特定の偏光成分を有する入射光３３を出射することができる。この場合、投影装置３２からの光の偏光成分と光学素子１０において偏光分離される偏光成分とを一致させることにより、光学素子１０の出射側において明るく鮮明な透過光３４を視認することができる。また例えば、光学素子１０が偏光分離機能を有している場合において、投影装置３２がＣＲＴ方式のプロジェクターまたはＤＭＤ素子を用いたプロジェクターの場合、偏光板をプロジェクターの出射口に設置し、プロジェクターからの光の偏光成分と光学素子１０において偏光分離される偏光成分とを一致させることにより、光学素子１０の出射側において明るく鮮明な透過光３４を視認することができる。
【００９４】
このように、本発明によれば、投影装置３２からの入射光３３を投影スクリーン３１に入射した場合に、この入射光３３が投影スクリーン３１を透過し、これにより投影装置３２の反対側から透過光３４を明確に視認することができる。
【実施例】
【００９５】
次に、上述した実施の形態についての具体的実施例を説明する。
【００９６】
アルキル側鎖を有する棒状液晶構造において、その両末端にアクリル基を有する紫外線硬化型ネマチック液晶からなる主剤に、この主剤と同様に両末端にアクリル基を有し、キラル中心を有するカイラル剤を添加して、モノマー混合液晶を作製した。
【００９７】
このモノマー混合液晶をシクロヘキサノンに溶解し、チバガイギー社製のアセトフェノン系光重合開始剤を上記混合液晶１００重量部に対して５重量部で添加した。
【００９８】
得られた溶液にアクリル共重合系レベリング剤を上記混合液晶１００重量部に対して６重量部添加した。
【００９９】
このようにして形成された重合性液晶インキを、配向後に螺旋ピッチが８００ｎｍとなるように調整した。
【０１００】
この調整された重合性液晶インキをガラス上に塗布し、８０℃に加熱して溶剤を除去し、厚さ６ミクロンのコレステリック液晶膜を作製した。
【０１０１】
さらに８０℃で１分保持し、配向させた後、室温にてＵＶ光を１００ｍＪ／ｃｍ２照射し、ポリマー膜を得た。このようにして作製されたポリマー膜を含む光学素子は、外光下で正面から見ると無色透明であった。
【０１０２】
この光学素子に斜め５０°から白色光を入射すると、入射側と反対の面における出射角が３０°となる位置で、波長が５００ｎｍ付近の緑色の透過光を確認した。
【０１０３】
さらに、プロジェクターを用いて青緑と黒のチェッカーパタンを投影したところ、透過方向のほぼ正面で、青緑のチェッカー画像を得ることができた。このうち、画像の黒表示部分は、光学素子を通して背景が透けて見えることを確認できた。
【図面の簡単な説明】
【０１０４】
【図１】本発明による光学素子の第１の実施の形態を示す概略断面図。
【図２】単位干渉構造の界面の法線方向が図１と異なる場合における光学素子の概略断面図。
【図３】各単位干渉構造の界面の法線方向がばらつきを持つ光学素子の概略断面図。
【図４】本発明による光学素子の第２の実施の形態を示す概略断面図。
【図５】偏光分離機能を有する光学素子の概略断面図。
【図６】コレステリック液晶からなる干渉膜の概略断面図。
【図７】コレステリック液晶の一の螺旋構造を示す概略図。
【図８】内部に凹凸形状を有する干渉膜の概略断面図。
【図９】内部に多数のフレーク状の反射体を有する干渉膜の概略断面図。
【図１０】コレステリック液晶からなる干渉膜の概略断面図。
【図１１】本発明の第３の実施の形態における投影システムを示す正面図。
【図１２】コレステリック液晶層と基材との間に配向膜を有する光学素子の概略断面図。
【符号の説明】
【０１０５】
１０    光学素子
１０ａ  機能性保持層
１０ｂ  裏面
１０ｃ  表面
１１    単位干渉構造
１２    界面
１３、１３ａ、１３ｂ、１３ｃ  干渉膜
１４    光軸
１５    入射光
１６    透過光
１７    法線
２４    螺旋軸
２７    螺旋構造
３０    投影システム
３１    投影スクリーン
３２    投影機
３３    入射光
３４    透過光
【図１】
2007256479.tif 000003
【図２】
2007256479.tif 000004
【図３】
2007256479.tif 000005
【図４】
2007256479.tif 000006
【図５】
2007256479.tif 000007
【図６】
2007256479.tif 000008
【図７】
2007256479.tif 000009
【図８】
2007256479.tif 000010
【図９】
2007256479.tif 000011
【図１０】
2007256479.tif 000012
【図１１】
2007256479.tif 000013
【図１２】
2007256479.tif 000014